(57)【要約】【課題】  電話回線と商用電源ラインとの間に、強化絶縁手段を介して、雷サージ保護回路を設けることによって、各国の安全規格を満足した雷サージ保護回路を提供することを目的とする。【解決手段】  電話回線に接続される通信ユニットにおいて、回線から入り込む雷サージ電圧／電流から、通信装置を保護する雷サージ保護回路と、上記雷サージ保護回路と商用電源ラインとの間に設けられている強化絶縁素子と、上記強化絶縁素子を介して、雷サージを上記商用電源ラインに逃がす経路とを有する通信ユニットである。【選択図】  図１
2005217742.tif 000002
【特許請求の範囲】
【請求項１】
電話回線に接続される通信ユニットにおいて、
回線から入り込む雷サージ電圧／電流から、通信装置を保護する雷サージ保護回路と；
上記雷サージ保護回路と商用電源ラインとの間に設けられている強化絶縁素子と；
上記強化絶縁素子を介して、雷サージを上記商用電源ラインに逃がす経路と；
を有することを特徴とする通信ユニット。
【発明の詳細な説明】
【技術分野】
【０００１】
本発明は、電話回線に接続される通信装置の雷サージ保護に関するものである。
【背景技術】
【０００２】
従来、電話回線に接続される通信ユニットにおいて、電話回線から入り込む雷サージから通信装置を保護する手段として、回線間（ノーマルモード）にかかるサージには、回線間にアレスタやバリスタ等の保護素子を配置し、通信装置を保護している。
【０００３】
また、回線−大地間（コモンモード）にかかるサージに対する保護手段は、通信装置の仕向地によって異なる。
【０００４】
つまり、商用電源が日本のように２芯の国は、通信装置が接地されない場合が多いので、日本国内向けの場合、電話回線と商用電源ラインとの間に、アレスタ４とバリスタ５とを配置し、サージ電流を電源ラインに逃がす手段が採用されている。
【０００５】
図２は、日本国内向けの従来の通信ユニット８を示す回路図である。
【０００６】
通信ユニット８は、回線−大地間（コモンモード）にかかるサージに対する従来の保護手段を示す図である。
【０００７】
日本の商用電源は、１００Ｖの２芯コンセントが一般的であり、コモンモードの雷サージに対して、電話回線と商用電源ラインとの間に配置されるアレスタ４とバリスタ５とが、雷サージ保護回路として働き、雷サージを商用電源ラインに逃がしている。
【０００８】
一方、商用電源が３芯であり、その内の１芯が接地端子（ＦＧ）である海外向けの場合、電話回線と装置フレームグランド（ＦＧ）との間に、アレスタやバリスタを配置し、サージ電流を接地端子に逃がす手段がとられている（たとえば、特許文献１参照）。
【０００９】
図３は、海外向けの従来の通信ユニット８ａを示す図である。
【００１０】
海外の商用電源の電圧は、国ごとに異なるが、接地端子（ＦＧ）がある３芯コンセントが一般的であり、コモンモードの雷サージに対して、電話回線と装置フレームグランド（ＦＧ）との間に配置されるアレスタ４が、雷サージ保護回路として働き、雷サージを商用電源の接地端子（ＦＧ）へ逃がしている。
【特許文献１】特開平５−９５６２３号公報
【発明の開示】
【発明が解決しようとする課題】
【００１１】
近年、電話回線に接続される通信装置について、主にコスト競争が激化し、このようなコンシューマ製品において、従来のように仕向地ごとに、電源ユニットや通信ユニットを作り分ける手法では、コストダウンも限界が見え始めている。
【００１２】
また、仕向地ごとに作り分ける従来手法では、各仕向地の発売時期に遅延が生じ、今日のように商品サイクルの短いコンシューマ向け製品においては、商品の陳腐化を招きかねない。
【００１３】
したがって、主に仕向地によって異なっていた電源ユニットや通信ユニットを、各国共通化しなければならない。
【００１４】
電源ユニットを２芯（ＦＧなし）で共通化した場合、雷サージは、商用電源ラインに逃がさなければならないが、海外では、回線−ＡＣ間においては安全規格上、強化絶縁が求められているので、従来の国内向けの雷サージ保護手段のままでは、サージ電流を電源ラインに逃がすことはできないという問題がある。
【００１５】
本発明は、電話回線と商用電源ラインとの間に、強化絶縁手段を介して、雷サージ保護回路を設けることによって、各国の安全規格を満足した雷サージ保護回路を提供することを目的とする。
【課題を解決するための手段】
【００１６】
本発明は、電話回線に接続される通信ユニットにおいて、回線から入り込む雷サージ電圧／電流から、通信装置を保護する雷サージ保護回路と、上記雷サージ保護回路と商用電源ラインとの間に設けられている強化絶縁素子と、上記強化絶縁素子を介して、雷サージを上記商用電源ラインに逃がす経路とを有する通信ユニットである。
【発明の効果】
【００１７】
電話回線に接続される通信ユニットにおいて、全仕向地共通の２芯電源ユニットにし、強化絶縁素子を介して、電話回線から入り込む雷サージを電源ラインに逃がすように雷サージ保護回路を構成するので、電源ユニットと通信ユニットとを作り分ける必要がなく、部品の共通化によるコストダウンや、各仕向地へ同時期に発売することができるという効果を奏する。
【発明を実施するための最良の形態】
【００１８】
発明を実施するための最良の形態は、次の実施例である。
【実施例１】
【００１９】
図１は、本発明の一実施例である通信ユニット１００を示す図である。
【００２０】
通信ユニット１００は、通信装置本体２０に接続され、また、アレスタ４、バリスタ５、および強化絶縁素子のコンデンサ６を介して、電源ユニット１３に接続されている。
【００２１】
通信ユニット１００は、電話回線（Ｔｉｐ１、Ｒｉｎｇ２）に接続され、アレスタ３と、回線インタフェース回路（ＮＣＵ）７とを有する。
【００２２】
アレスタ３は、Ｔｉｐ１とＲｉｎｇ２との線間に配置されている。なお、アレスタ３は、回線から入り込むノーマルモードの雷サージ電圧／電流から、通信装置を保護する雷サージ保護回路の例である。
【００２３】
回線インタフェース回路（ＮＣＵ）７は、各国の回線規格を満足するとともに、電話回線上に伝達する信号を、２線４線変換し、受信信号（Ｒｘ）９と送信信号（Ｔｘ）１０とを、通信装置本体２０内へ受け渡しする。
【００２４】
電源ユニット１３は、２芯でＡＣ１００Ｖから２４０Ｖのワイドレンジ入力で世界各国の商用電源に対応し、商用電源ライン１１と、バリスタ１２と、スイッチング電源部１４とを有する。
【００２５】
スイッチング電源部１４は、整流／平滑化し、レギュレーションされた直流電圧（ＤＣ）１５を、通信装置本体２０へ供給する。バリスタ１２は、商用電源ライン１１の間に接続され、電源ライン間の過電圧入力保護用である。
【００２６】
アレスタ４、バリスタ５、コンデンサ６は、電話回線と商用電源ライン１１との間に配置されている。アレスタ４は、開放電圧１．２ＫＶのガス封入ガラス管タイプのアレスタであり、バリスタ５は、５１０Ｖのセラミックバリスタであり、コンデンサ６は、強化絶縁型のセラミックコンデンサである。
【００２７】
なお、アレスタ４、バリスタ５、コンデンサ６は、電話回線と商用電源ラインとの間に配置される、強化絶縁素子を用いたノーマルモードの雷サージ保護回路の例である。
【００２８】
また、コンデンサ６と、商用電源ライン１１とを接続する経路は、強化絶縁素子を介して、雷サージを商用電源ラインに逃がす経路の例である。
【００２９】
次に、電話回線を介して流入する雷サージから通信ユニット１００を保護する動作について説明する。
【００３０】
ノーマルモードの雷サージにかかると、Ｔｉｐ１とＲｉｎｇ２との線間に配置されているアレスタ３にサージ電圧が印加される。アレスタ３は、ガス封入ガラス管タイプのものやギャップ型、サイリスタ型のシリコンサージアブソーバ等があり、それぞれ特性が異なるが選定条件として、電話回線から来る呼出信号には応答しない開放電圧、またはスイッチング電圧を選ぶ必要がある。本実施例では、アレスタ３は、スイッチング電圧３５０Ｖのシリコンサージアブソーバである。
【００３１】
雷サージ電圧が３５０Ｖ以上かかると、シリコンサージアブソーバがオンし、サージ電流を回線に逃がすように保護回路が働く。
【００３２】
次に、コモンモードの雷サージがかかると、電話回線と商用電源ライン１１との間に配置されているアレスタ４、バリスタ５、コンデンサ６（強化絶縁素子３０）にサージ電圧が印加される。アレスタ４は、開放電圧１．２ＫＶのガス封入ガラス管タイプのアレスタであり、バリスタ５は、５１０Ｖのセラミックバリスタであり、コンデンサ６は、強化絶縁型のセラミックコンデンサである。
【００３３】
本来、電話回線からの雷サージを商用電源ライン１１に逃がすだけであれば、コンデンサ６を必要としないが、電話回線と商用電源ライン１１との間には、強化絶縁が要求される。そこで、安全規格認定（ＵＬ／ＣＳＡ／ＢＳＩ／ＳＥＭＫＯ／ＳＥＶ／ＶＤＥ／ＦＩＭＫＯ／ＮＥＭＫＯ／ＤＥＭＫＯ／ＩＭＱ）のセラミックコンデンサ６を配置することによって、構造上強化絶縁がとれ、しかも、雷サージを商用電源ライン１１に逃がすことができる。
【産業上の利用可能性】
【００３４】
電話回線に接続される通信ユニット１００において、雷サージを商用電源ライン１１へ逃がす場合は、電話回線と商用電源ライン１１との間に、何らかの強化絶縁をとる必要がある。
【００３５】
その強化絶縁の必要な箇所に、安全規格認定品のコンデンサ６を配置することによって、小型で容易に強化絶縁がとれ、しかも、機能的にも雷サージ保護回路が機能するので、利用の可能性は大きい。
【図面の簡単な説明】
【００３６】
【図１】本発明の一実施例である通信ユニット１００を示す図である。
【図２】日本国内向けの従来の通信ユニット８を示す回路図である。
【図３】海外向けの従来の通信ユニット８ａを示す図である。
【符号の説明】
【００３７】
１００…通信ユニット、
３…アレスタ、
４…アレスタ、
５…バリスタ、
６…コンデンサ、
１１…商用電源ライン、
１２…バリスタ、
１３…電源ユニット、
２０…通信装置本体。
【図１】
2005217742.tif 000003
【図２】
2005217742.tif 000004
【図３】
2005217742.tif 000005